(57)【要約】【課題】ＰＣＲリロード直後の映像の乱れを軽減できるようにする。【解決手段】かかる課題を解決するために、本発明の復号装置は、符号化された映像入力信号を復号する復号装置において、復号クロック信号を生成する復号クロック信号生成手段と、映像入力信号に含まれている復号タイミング情報を取り込み、復号クロック信号のカウントを開始し、復号クロック信号のカウント値と復号タイミング情報とに基づいて、符号化クロック信号に同期するよう制御する同期同調手段と、復号タイミング情報の異常を検出し、同期同調手段に対して復号クロック信号のカウント再開を指示するリロード指示手段とを備え、リロード指示手段が、映像入力信号に基づく映像が一時的に乱れるタイミングに合わせて、カウント再開指示をすることを特徴とする。【選択図】      図１
2006128819.tif 000002
【特許請求の範囲】
【請求項１】
符号化された映像入力信号を復号する復号装置において、
復号クロック信号を生成する復号クロック信号生成手段と、
上記映像入力信号に含まれている復号タイミング情報を取り込み、上記復号クロック信号のカウントを開始し、上記復号クロック信号のカウント値と上記復号タイミング情報とに基づいて、符号化クロック信号に同期するよう制御する同期同調手段と、
上記復号タイミング情報の異常を検出し、上記同期同調手段に対して上記復号クロック信号のカウント再開を指示するリロード指示手段と
を備え、
上記リロード指示手段が、上記映像入力信号に基づく映像が一時的に乱れるタイミングに合わせて、上記カウント再開指示をする
ことを特徴とする復号装置。
【請求項２】
上記リロード指示手段が、
上記映像入力信号に含まれている時間基準情報を抽出する時間基準情報抽出部と、
抽出された上記時間基準情報と上記復号クロック信号とに基づいて、予め設定された所定のリロード条件を満たすか否かを判定し、上記リロード条件を満たしている場合に、上記同期同調手段にカウント再開指示をするリロード判定部と
を有することを特徴とする請求項１に記載の復号装置。
【請求項３】
上記リロード条件が、上記映像入力信号の相前後する処理フレームの周波数変化に基づいて、符号化装置へ入力する入力画像の切り替え時期を検出するための条件であることを特徴とする請求項２に記載の復号装置。
【請求項４】
上記リロード条件が、上記映像入力信号の相前後する処理フレームの位相差変化に基づいて、符号化装置へ入力する入力画像の切り替え時期を検出するための条件であることを特徴とする請求項２に記載の復号装置。
【発明の詳細な説明】
【技術分野】
【０００１】
本発明は、復号装置に関し、例えば、少なくとも映像を伝送するシステムにおける復号装置に適用し得る。
【背景技術】
【０００２】
一般的な従来の映像符号化装置又は映像復号装置における基本的な処理は、例えば特許文献１に開示されている。以下では、映像符号化装置及び映像復号装置における基本動作について説明する。
【０００３】
従来、符号化装置（映像送信側）は、入力された映像信号から抽出した同期信号に同期したシステムクロック（以下、ＥＮＣ＿ＣＬＫ）を生成し、このＥＮＣ＿ＣＬＫに基づいて符号化処理を行なう。また、符号化装置は、ＥＮＣ＿ＣＬＫをカウントするカウンタ（以下、ＥＮＣ＿ＳＴＣカウンタ：システムタイムクロックカウンタ）を具備する。
【０００４】
一方、復号装置(映像受信側)は、ＥＮＣ＿ＣＬＫに同期したシステムクロック（以下、ＤＥＣ＿ＣＬＫ）及びこれをカウントするカウンタ（以下、ＤＥＣ＿ＳＴＣカウンタ）を具備する。
【０００５】
符号化装置は、復号装置がＤＥＣ＿ＣＬＫ及びＤＥＣ＿ＳＴＣを再生するための情報（以下、ＰＣＲ：プログラムクロックリファレンス）を、復号装置に送る。そして、復号装置は、符号化装置からのＰＣＲをＤＥＣ＿ＳＴＣに取り込み（ロード）、またＰＣＲとＤＥＣ＿ＳＴＣとを比較しその差に基づいて周波数を制御し、ＤＥＣ＿ＣＬＫ（＝ＥＮＣ＿ＣＬＫ）を再生する。
【０００６】
符号化装置は、符号化後のデータの１フレーム（符号化の１単位）毎にタイムスタンプ（以下、ＰＴＳ：プレゼンテーションタイムスタンプ）を付与する。ＰＴＳは、ＥＮＣ＿ＳＴＣを元に計算され毎回１フレーム時間増加する値であり、復号装置が該当するフレームを復号処理するタイミングを示すものである。そして、復号装置は、１フレーム毎にＰＴＳとＤＥＣ＿ＳＴＣとを比較し、符号化装置により指定されたタイミング（ＰＴＳ）にて復号処理を実施する。
【０００７】
以上のようにして、復号装置は、システムクロックの再生及び復号処理のタイミングを取得して復号処理を実行している。
【０００８】
【特許文献１】特開平０８−２４２４４４号公報
【発明の開示】
【発明が解決しようとする課題】
【０００９】
ところで、復号装置において、何らかの理由によりＤＥＣ＿ＳＴＣが本来の値とは異なる異常な値になった場合、システムクロックＤＥＣ＿ＣＬＫの再生及び復号処理のタイミングにも影響を与えるので、正常な復号処理ができなくなる。そのため、これを回避するために、復号装置は、再度ＰＣＲを取り込みＤＥＣ＿ＳＴＣとの比較を行なうＰＣＲリロードを行なう。
【００１０】
しかしながら、ＰＣＲリロード直後は、例えばコマ落ちやフリーズなど映像異常が発生してしまうため、映像を出力した場合に、違和感を与えてしまうおそれがあった。
【００１１】
そのため、ＤＥＣ＿ＳＴＣが異常な値となってしまった場合であっても、映像の乱れが軽減できるような処理をする復号装置が望まれている。
【課題を解決するための手段】
【００１２】
かかる課題を解決するために、本発明の復号装置は、符号化された映像入力信号を復号する復号装置において、復号クロック信号を生成する復号クロック信号生成手段と、映像入力信号に含まれている復号タイミング情報を取り込み、復号クロック信号のカウントを開始し、復号クロック信号のカウント値と復号タイミング情報とに基づいて、符号化クロック信号に同期するよう制御する同期同調手段と、復号タイミング情報の異常を検出し、同期同調手段に対して復号クロック信号のカウント再開を指示するリロード指示手段とを備え、リロード指示手段が、映像入力信号に基づく映像が一時的に乱れるタイミングに合わせて、カウント再開指示をすることを特徴とする。
【発明の効果】
【００１３】
本発明の復号装置によれば、復号クロック信号を生成する復号クロック信号生成手段と、映像入力信号に含まれている復号タイミング情報を取り込み、復号クロック信号のカウントを開始し、復号クロック信号のカウント値と復号タイミング情報とに基づいて、符号化クロック信号に同期するよう制御する同期同調手段と、復号タイミング情報の異常を検出し、同期同調手段に対して復号クロック信号のカウント再開を指示するリロード指示手段とを備えることにより、リロード指示手段が、映像入力信号に基づく映像が一時的に乱れるタイミングに合わせて、カウント再開指示をすることができるので、カウント再開による映像の乱れを軽減させることができる。
【発明を実施するための最良の形態】
【００１４】
（Ａ）第１の実施形態
以下、本発明の復号装置の第１の実施形態について図面を参照して説明する。
【００１５】
第１の実施形態は、例えば、符号化装置により符号化された映像信号を受信し、その映像信号を復号するものであって、ＰＣＲリロードを符号化装置の映像入力切替時に実施する復号装置に適用した場合について説明する。
【００１６】
（Ａ−１）第１の実施形態の構成
図１は、本実施形態に係る復号装置の内部構成を示す構成図である。図１において、復号装置１０は、復号部１、ＰＣＲ抽出部２、ＤＥＣ＿ＳＴＣカウンタ３、ＰＬＬ４、発振器５、リロード判定部６を少なくとも備える。
【００１７】
復号部１は、符号化データを受け取り、ＰＬＬ４及び発振器５により再生されたＤＥＣ＿ＣＬＫを使用して復号処理を行ない映像出力信号を出力するものである。また、復号部１は、符号化データの１フレーム毎に含まれているＰＴＳと、ＤＥＣ＿ＳＴＣカウンタ３からのＤＥＣ＿ＳＴＣとの比較により復号処理タイミングを検出し、その検出した復号処理タイミングに基づいて復号処理を行なう。
【００１８】
ＰＣＲ抽出部２は、図示しない読み出し用クロックに従って、受信信号からＰＣＲを抽出するものである。また、ＰＣＲ抽出部２は、抽出したＰＣＲをＤＥＣ＿ＳＴＣカウンタ３、ＰＬＬ４及びリロード判定部６に与えるものである。
【００１９】
リロード判定部６は、ＰＣＲ抽出部２が抽出したＰＣＲを受け取り、前回のＰＣＲと今回のＰＣＲとの差分を求め、その差分からＰＣＲの増分を監視するものである。また、リロード判定部６は、ＤＥＣ＿ＳＴＣカウンタ３からＤＥＣ＿ＳＴＣを受け取り、そのＤＥＣ＿ＳＴＣとＰＣＲとの差分を求めるものである。そして、リロード判定部６は、ＰＣＲの増分と、ＤＥＣ＿ＳＴＣとＰＳＲの差分とから所定のリロード条件を満たしているか否かを判定し、所定リロード条件を満たしている場合に、ＤＥＣ＿ＳＴＣカウンタ３にＰＣＲリロードを指示するものである。
【００２０】
ここで、リロード判定部６におけるリロード条件は、入力信号の周波数が所定（例えば１ｐｐｍ）以上変更したことにより映像が切り替わったことを判定するための条件である。これにより、映像の切り替わり時期を判定することができ、その判定時期（映像切り替わり時期）にＰＣＲリロードを実行させることができる。
【００２１】
ＤＥＣ＿ＳＴＣカウンタ３は、発振器５からＤＥＣ＿ＣＬＫを受け取り、ＤＥＣ＿ＣＬＫをカウントするカウンタである。また、ＤＥＣ＿ＳＴＣカウンタ３は、ＤＥＣ＿ＳＴＣカウンタ３をＰＬＬ４及びリロード判定部６に出力するものである。さらに、ＤＥＣ＿ＳＴＣカウンタ３は、リロード判定部６からＰＣＲリロード指示を受け取ると、ＰＣＲ抽出部２からＰＣＲを再度取り込むものである。
【００２２】
ＰＬＬ４は、ＰＣＲ抽出部２からＰＣＲを受け取り、またＤＥＣ＿ＳＴＣカウンタ３からＤＥＣ＿ＳＴＣを受け取り、ＰＣＲとＤＥＣ＿ＳＴＣとを比較して差分を取り、その差分に基づいて発振器５が出力するＤＥＣ＿ＣＬＫの周波数制御を行なうものである。
【００２３】
発振器５は、ＰＬＬ４の周波数制御に基づいて、周波数制御したＤＥＣ＿ＣＬＫを復号部１及びＤＥＣ＿ＳＴＣカウンタ３に与えるものである。
【００２４】
（Ａ−２）第１の実施形態の動作
次に、本実施形態の復号装置１０の動作について説明する。
【００２５】
まず、符号化装置（図示しない）が受信されると、その符号化データが、復号部１及びＰＣＲ抽出部２に与えられる。
【００２６】
符号化データがＰＣＲ抽出部２に与えられると、符号化データに含まれるＰＣＲがＰＣＲ抽出部２により抽出され、その抽出されたＰＣＲが、ＤＥＣ＿ＳＴＣカウンタ３、リロード判定部６及びＰＬＬに与えられる。
【００２７】
ＰＣＲがＤＥＣ＿ＳＴＣカウンタ３に与えられると（ロードすると）、ＤＥＣ＿ＳＴＣがリロード判定部６及びＰＬＬ４に与えられる。
【００２８】
そして、ＰＬＬ４において、ＰＣＲとＤＥＣ＿ＳＴＣとの周波数差分が求められ、ＰＬＬ４はその周波数差分に基づいてＤＥＣ＿ＣＬＫの周波数制御を行なう。これにより、発振器５から周波数制御されたＤＥＣ＿ＣＬＫが、復号部１及びＤＥＣ＿ＳＴＣカウンタ３に発振される。
【００２９】
一方、復号部１では符号化データの受信に伴い、ＤＥＣ＿ＳＴＣカウンタ３からＤＥＣ＿ＳＴＣが与えられる。復号部１において、ＤＥＣ＿ＳＴＣに基づいて各フレームのＰＴＳが再生され、このＰＴＳの再生に基づいてＤＥＣ＿ＣＬＫを元に当該フレームの復号処理が行なわれる。
【００３０】
ところで、リロード判定部６では、前回受信したＰＣＲと今回のＰＣＲとを比較することで差分を求め、ＰＣＲの増分が算出される（この増分をａとする）。また、リロード判定部６は、ＤＥＣ＿ＳＴＣカウンタ３からのＤＥＣ＿ＳＴＣと、ＰＣＲとの差分を算出する（この差分をｂとする）。
【００３１】
リロード判定部６において、ＰＣＲ増分ａと差分ｂとが所定条件を満たしているか否かが判断される。
【００３２】
本実施形態では、このリロード条件を、例えばＰＣＲ増分ａが２０回連続して１ｐｐｍ以上であって、差分ｂが０．５フレーム時間以上である場合とする。そして、この条件を満たしている場合に、リロード判定部６は、ＰＣＲリロードを実行させるリロード指示をＤＥＣ＿ＳＴＣカウンタ３に出力し、リロード指示を行わせることができる。
【００３３】
（Ａ−３）第１の実施形態の効果
以上、本実施形態によれば、ＰＣＲリロードを映像入力信号の切り替え時に実施させることで、映像乱れが考えられ得る時期にＰＣＲリロードさせることができるので、ＰＣＲリロードによる映像乱れの違和感を軽減させることができる。
【００３４】
（Ｂ）第２の実施形態
次に、本発明の復号装置の第２の実施形態について図面を参照して説明する。
【００３５】
第２の実施形態は、例えば、符号化装置により符号化された映像信号を受信し、その映像信号を復号するものであって、ＰＣＲリロードを符号化装置の映像入力切替時に実施する復号装置に適用した場合について説明する。
【００３６】
（Ｂ−１）第２の実施形態の構成
図２は、本実施形態の復号装置の内部構成を示す構成図である。図２において、本実施形態の復号装置２０は、復号部１、ＰＣＲ抽出部２、ＤＥＣ＿ＳＴＣカウンタ３、ＰＬＬ４、発振器５、ＲＴＳ抽出部７、リロード判定部８を少なくとも備える。
【００３７】
第２の実施形態の復号装置２０は、ＰＴＳ抽出部７を新たに設けて、リロード判定部８の機能が第１の実施形態の復号装置１０と異なる。従って、第１の実施形態で既に説明した同一・対応する構成要件については、対応する符号を付して説明する。また、これら対応する構成要件についての詳細な説明は省略する。
【００３８】
ＰＴＳ抽出部７は、各フレームの符号化データに含まれているＰＴＳを抽出し、その抽出した各フレームのＰＴＳをリロード判定部８に与えるものである。
【００３９】
リロード判定部８は、ＰＴＳ抽出部７から各フレームのＰＴＳを受け取り、前回のＰＴＳと今回のＰＴＳとを比較して差分を求め、その差分に基づいてＰＴＳの増分を算出するものである。また、リロード判定部８は、ＰＣＲ抽出部２からＰＣＲを受け取り、またＤＥＣ＿ＳＴＣカウンタ３からＤＥＣ＿ＳＴＣを受け取り、ＰＣＲとＤＥＣ＿ＳＴＣと算出するものである。さらに、リロード判定部８は、算出したＰＴＳ増分と、ＰＣＲとＤＥＣ＿ＳＴＣとの差分とが所定のリロード条件を満たしている場合に、ＤＥＣ＿ＳＴＣカウンタ３にＰＣＲリロードを指示するものである。
【００４０】
ここで、第２の実施形態のリロード条件は、ＰＴＳ増分が一定でないことを検出することで、入力映像信号の位相差のある別映像への切り替わり時期にＰＣＲリロードを実行させるための条件である。これにより、位相差のある映像切り替え時期にＰＣＲリロードを実行させることができるので、ＰＣＲリロードによる映像の乱れを他の映像乱れ時期に合わせることができる。
【００４１】
（Ｂ−２）第２の実施形態の動作
次に、本実施形態の復号装置２０における動作について説明する。なお、復号装置における復号処理の基本的な動作は、第１の実施形態で説明したので省略し、ここでは、ＰＣＲリロードする処理について説明する。
【００４２】
まず、符号化装置（図示しない）から入力映像信号が受信しされると、符号化データがＰＴＳ抽出部７に与えられ、符号化データに含まれているＰＴＳがＰＴＳ抽出部７により抽出される。そして、抽出されるＰＴＳはリロード判定部８に与えられる。
【００４３】
リロード判定部８は、前回受信したＰＴＳと今回受信したＰＴＳとを比較して周波数差分を求め、その周波数差分からＰＴＳの増分を算出する（このＰＴＳ増分をｃとする）。また、リロード判定部６は、ＤＥＣ＿ＳＴＣカウンタ３からのＤＥＣ＿ＳＴＣと、ＰＣＲとの差分を算出する（この差分をｂとする）。
【００４４】
リロード判定部８において、ＰＴＳ増分ｃと差分ｂとが所定条件を満たしているか否かが判断される。
【００４５】
本実施形態では、このリロード条件を、例えばＰＴＳ増分ｃが１ｍｓｅｃ以上であって、差分ｂが０．５フレーム時間以上である場合とする。そして、この条件を満たしている場合に、リロード判定部８は、ＰＣＲリロードを実行させるリロード指示をＤＥＣ＿ＳＴＣカウンタ３に出力し、リロード指示を行わせることができる。
【００４６】
（Ｂ−３）第２の実施形態の効果
以上、本実施形態によれば、リロード実施時の映像の乱れが、符号化装置への映像入力切替え時の乱れに近い時間帯に発生するため、違和感が軽減される。
【００４７】
（Ｃ）他の実施形態
（Ｃ−１）上述した第１及び第２の実施形態では、ＤＥＣ＿ＳＴＣとＰＣＲ又はＰＴＳとの関係により、復号処理タイミングが決まる復号化装置に適用した例を説明したが、ＤＥＣ＿ＳＴＣとＰＴＳに順ずるパラメータを使用しない映像伝送装置においても、映像の一時的な乱れを切り替えタイミングに合わせ込む機能を具備すれば、適用が可能である。
【００４８】
（Ｃ−２）上述した第１及び第２の実施形態では、映像伝送システムにおける復号装置に適用した場合について説明したが、少なくとも映像信号を復号することができれば、例えば、映像と音声とを対応付けて伝送する映像・音声伝送システムの復号装置にも適用可能である。
【００４９】
（Ｃ−３）上述した第１又は第２の実施形態で説明したリロード条件は、周波数変化又は位相差変化に基づいて、符号化装置に入力する映像の入れ替え時期にリロード指示できれば、他の条件としてもよい。
【図面の簡単な説明】
【００５０】
【図１】第１の実施形態の復号装置の内部構成を示すブロック図である。
【図２】第２の実施形態の復号装置の内部構成を示すブロック図である。
【符号の説明】
【００５１】
１０、２０…復号装置、１…復号部、２…ＰＣＲ抽出部、
３…ＤＥＣ＿ＳＴＣカウンタ、４…ＰＬＬ、５…発振器、
６、８…リロード判定部、７…ＰＴＳ抽出部。
【図１】
2006128819.tif 000003
【図２】
2006128819.tif 000004